(57)【要約】【課題】印加される過電圧によって突然機能を停止することなく、予防保全を行うことができる電源装置を提供する。【解決手段】電源部７０は、入力される交流電力を直流電力として出力する電源装置であって、交流電力の入力状態を検知する検知部７２１と、検知部７２１が所定電圧Ｖｓを上回る過電圧状態を検知した場合に、検知部７２１が検知した検知履歴情報を記憶する記憶部３０とを備える【選択図】図３
2017049746.tif 000002
【特許請求の範囲】
【請求項１】
入力される交流電力を直流電力として出力する電源装置であって、
前記交流電力の入力状態を検知する検知部と、
前記検知部が所定電圧を上回る過電圧状態を検知した場合に、前記検知部が検知した検知履歴情報を記憶する記憶部と、を備えることを特徴とする電源装置。
【請求項２】
前記検知履歴情報には、前記検知部が前記所定電圧を上回る過電圧状態を検知した累積情報が含まれることを特徴とする請求項１に記載の電源装置。
【請求項３】
前記検知履歴情報には、前記検知部が前記所定電圧を上回る過電圧状態を検知した日時の情報が含まれることを特徴とする請求項１または請求項２に記載の電源装置。
【請求項４】
前記直流電力を蓄電可能に接続されたコンデンサーと、
前記検知部が前記所定電圧を上回る過電圧状態を検知した場合に、前記コンデンサーの特性を評価する評価部と、を備えることを特徴とする請求項１から請求項３のいずれか一項に記載の電源装置。
【請求項５】
前記直流電力を蓄電可能に接続されたコンデンサーと、
前記検知履歴情報に基づき、前記コンデンサーの特性を評価する評価部と、を備えることを特徴とする請求項１から請求項３のいずれか一項に記載の電源装置。
【請求項６】
前記評価部が前記コンデンサーの特性を評価した評価結果に基づき報知する報知手段を備えることを特徴とする請求項４または請求項５に記載の電源装置。
【請求項７】
前記評価部が前記コンデンサーの特性を評価した評価結果を表示する表示部を備えることを特徴とする請求項４から請求項６のいずれか一項に記載の電源装置。
【請求項８】
前記評価部が前記コンデンサーの特性を評価した評価結果を前記記憶部に記憶することを特徴とする請求項４から請求項７のいずれか一項に記載の電源装置。
【請求項９】
請求項１から請求項８のいずれか一項に記載の電源装置を備えることを特徴とする印刷装置。
【発明の詳細な説明】
【技術分野】
【０００１】
本発明は、電源装置および該電源装置を備える印刷装置に関する。
【背景技術】
【０００２】
供給される交流電力を直流電力に変換する電源回路では、変換された直流電力の平滑化を目的としてコンデンサーが用いられる。この平滑用コンデンサーには、比較的大容量なコンデンサーが適しており、小型、大容量で、容量当たりの価格が安いアルミ電解コンデンサーが多用される。一方、アルミ電解コンデンサーは、電解液の消失に伴う静電容量の低下が見られ、この静電容量の低下が、電源回路の寿命を決める要因となる場合が多い。アルミ電解コンデンサーの電解液の消失は、使用環境によってその度合いが大きく異なる。具体的には、周囲温度が高いほど、また印加電圧が高いほど電解液のガス化が進行しやすく、その結果、電解液が消失し、静電容量が低下しやすい。特に、過電圧が印加されると、電解液のガス化により内圧が上昇し、防爆弁が開弁して電解液が流出してしまう場合もある。
【０００３】
これに対し、特許文献１には、所定の電圧以上の過電圧が印加されると、過電流遮断手段（電流ヒューズ、電流ブレーカー、ヒューズ抵抗など）によって交流電力を遮断させるＡＣ過電圧保護手段を備える電源装置が記載されている。ＡＣ過電圧保護回路を従来の電源回路に付け加えて使用することによって、過電圧を投入した際にも、コンデンサー（アルミ電解コンデンサー）が開弁して電解液が噴出するといった問題が無くなるとしている。
【先行技術文献】
【特許文献】
【０００４】
【特許文献１】特開２００６−２８８１５５号公報
【発明の概要】
【発明が解決しようとする課題】
【０００５】
しかしながら、特許文献１に記載の電源装置では、予期せずに突然安定した電力の供給ができなくなってしまうという問題があった。すなわち、所定の電圧以上の過電圧が印加されると、突然、ＡＣ過電圧保護回路（過電流遮断手段）が電力の供給を遮断してしまったり、所定の電圧に達しない範囲の過電圧が印加され続けた場合には、短寿命となったアルミ電解コンデンサーが突然開弁して破損することにより電力の供給が停止してしまったりした。その結果、電源の供給が停止してしまった原因の確認や、過電流遮断手段の復帰、アルミ電解コンデンサーの交換などにより、この電源装置を使用した装置やシステムの復帰に時間を要してしまう場合があるという問題があった。
【課題を解決するための手段】
【０００６】
本発明は、上述の課題の少なくとも一部を解決するためになされたものであり、以下の適用例または形態として実現することが可能である。
【０００７】
［適用例１］  本適用例に係る電源装置は、入力される交流電力を直流電力として出力する電源装置であって、前記交流電力の入力状態を検知する検知部と、前記検知部が所定電圧を上回る過電圧状態を検知した場合に、前記検知部が検知した検知履歴情報を記憶する記憶部と、を備えることを特徴とする。
【０００８】
本適用例によれば、電源装置が備える記憶部には、交流電力の入力状態を検知する検知部が所定電圧を上回る過電圧状態を検知した検知履歴情報が記憶される。この検知履歴情報を参照することにより、電源装置に加えられたダメージを見積もることが可能となる。その結果、例えば、電源装置の故障予測や、それに対応する事前メンテナンスなど、電源装置の予防保全が可能となる。
【０００９】
［適用例２］  上記適用例に係る電源装置において、前記検知履歴情報には、前記検知部が前記所定電圧を上回る過電圧状態を検知した累積情報が含まれることを特徴とする。
【００１０】
本適用例によれば、検知履歴情報には、所定電圧を上回る過電圧状態を検知した累積情報が含まれる。この検知履歴情報を参照することにより、電源装置に過電圧が印加された履歴としてその累積情報が判明するため、電源装置に加えられたダメージをより好適に見積もることが可能となる。その結果、例えば、電源装置の故障予測や、それに対応する事前メンテナンスなど、電源装置の予防保全が可能となる。
【００１１】
［適用例３］  上記適用例に係る電源装置において、前記検知履歴情報には、前記検知部が前記所定電圧を上回る過電圧状態を検知した日時の情報が含まれることを特徴とする。
【００１２】
本適用例によれば、検知履歴情報には、所定電圧を上回る過電圧状態が印加された日時の情報が含まれる。この検知履歴情報を参照することにより、電源装置に過電圧が印加された履歴としてその日時が判明するため、その対処（過電圧が印加される原因の究明や対策など）をより好適に行うことが可能となる。また、電源装置に過電圧が印加された頻度やその時間経過が分かるため、電源装置の故障予測や、それに対応する事前メンテナンスなど、電源装置の予防保全が可能となる。
【００１３】
［適用例４］  上記適用例に係る電源装置において、前記直流電力を蓄電可能に接続されたコンデンサーと、前記検知部が前記所定電圧を上回る過電圧状態を検知した場合に、前記コンデンサーの特性を評価する評価部と、を備えることを特徴とする。
【００１４】
本適用例によれば、電源装置が備える評価部は、検知部が所定電圧を上回る過電圧状態を検知した場合に、直流電力を蓄電可能に接続されたコンデンサーの特性を評価する。そのため、電源装置に過電圧が印加されることによってコンデンサーの特性の劣化が危惧される場合には、その状態を把握することができる。その結果、例えば、コンデンサーの故障予測や、それに対応する事前メンテナンスなど、電源装置の予防保全が可能となる。
【００１５】
［適用例５］  上記適用例に係る電源装置において、前記直流電力を蓄電可能に接続されたコンデンサーと、前記検知履歴情報に基づき、前記コンデンサーの特性を評価する評価部と、を備えることを特徴とする。
【００１６】
本適用例によれば、電源装置が備える評価部は、検知部が所定電圧を上回る過電圧状態を検知した検知履歴情報に基づき直流電力を蓄電可能に接続されたコンデンサーの特性を評価する。そのため、電源装置に過電圧が印加されることによってコンデンサーの特性の劣化が危惧される場合には、検知履歴情報に基づいて、その状態を把握することができる。その結果、例えば、コンデンサーの故障予測や、それに対応する事前メンテナンスなど、電源装置の予防保全が可能となる。
【００１７】
［適用例６］  上記適用例に係る電源装置において、前記評価部が前記コンデンサーの特性を評価した評価結果に基づき報知する報知手段を備えることを特徴とする。
【００１８】
本適用例によれば、コンデンサーの特性を評価した評価結果に基づき報知されることで、より好適な対処を行うことができる。
【００１９】
［適用例７］  上記適用例に係る電源装置において、前記評価部が前記コンデンサーの特性を評価した評価結果を表示する表示部を備えることを特徴とする。
【００２０】
本適用例によれば、コンデンサーの特性を評価した評価結果を参照することができるため、より好適な対処を行うことができる。
【００２１】
［適用例８］  上記適用例に係る電源装置において、前記評価部が前記コンデンサーの特性を評価した評価結果を前記記憶部に記憶することを特徴とする。
【００２２】
本適用例によれば、評価部がコンデンサーの特性を評価した評価結果を記憶部に記憶することにより、評価結果の推移（つまりはコンデンサーの状態変化）を把握することが可能となる。その結果、例えば、コンデンサーの故障予測や、それに対応する事前メンテナンスなど、電源装置の予防保全が可能となる。
【００２３】
［適用例９］  本適用例に係る印刷装置は、上記適用例に係る電源装置を備えることを特徴とする。
【００２４】
本適用例によれば、印刷装置が備える電源装置の故障予測や、それに対応する事前メンテナンスなど、印刷装置の予防保全が可能となる。
【図面の簡単な説明】
【００２５】
【図１】実施形態１に係る「印刷装置」としてのプリンターの斜視図
【図２】実施形態１に係る「印刷装置」としてのプリンターのブロック図
【図３】「電源装置」としての電源部のブロック図
【図４】電源制御部による制御のフローを示すフローチャート
【図５】実施形態２に係る電源装置のブロック図
【発明を実施するための形態】
【００２６】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が鉛直方向、＋Ｚ方向が上方向、Ｙ軸方向が前後方向、＋Ｙ方向が手前方向、Ｘ軸方向が左右方向、＋Ｘ方向が左方向、Ｘ−Ｙ平面が水平面としている。
【００２７】
（実施形態１）
＜印刷装置＞
図１は、実施形態１に係る「印刷装置」としてのプリンター１００の斜視図、図２は、プリンター１００の構成を示すブロック図である。
プリンター１００は、例えば、ＪＩＳ規格のＡ０判やＢ０判などといった比較的大きなサイズの印刷媒体（用紙）に印刷が可能な大型のインクジェット式プリンターである。印刷媒体（図１に示すロール紙１）は、ロール状に巻かれた状態で供給される。
【００２８】
プリンター１００は、印刷部１０、搬送部２０、記憶部３０、制御部４０、操作パネル５０、検出部６０（図２参照）、「電源装置」としての電源部７０などを含む装置本体２と、装置本体２を載置するスタンド３から構成されている。
【００２９】
印刷部１０は、ロール紙１の表面にインクを吐出して画像を形成（印刷）するインクジェットヘッド（以下ヘッド１１と言う）、Ｘ軸方向に延在するように設けられたガイド軸１２、ヘッド１１を支持し、ガイド軸１２に沿ってロール紙１の表面上を走査移動させるキャリッジ１３などを備えている。
【００３０】
記憶部３０は、ハードディスクドライブ（ＨＤＤ）やメモリーカードなどの書き換え可能な記憶媒体である。記憶部３０には、制御部４０が動作するソフトウェア（プログラム）や印刷ジョブなどが記憶される。
印刷ジョブは、印刷を実行させるための一連の要求情報（印刷用の印刷データを含む制御コマンドなど）であり、記憶部３０にスプールさせることができる。スプールされた印刷ジョブは、必要に応じて並び替えられた実行順に応じて実施される。
【００３１】
制御部４０は、インターフェイス部４１、ＣＰＵ４２、メモリー４３、駆動制御部４４、電源制御部７２などを備え、プリンター１００全体の集中制御を行う。
インターフェイス部４１は、外部機器（例えばパーソナルコンピューター）とプリンター１００との間でデータの送受信を行う。
ＣＰＵ４２は、プリンター１００全体の制御を行うための演算処理装置である。
メモリー４３は、ＣＰＵ４２が動作するプログラムを格納したり、必要な情報を記録したりする領域であり、ＲＡＭ、ＲＯＭ、フラッシュメモリーなどの記憶素子で構成される。
【００３２】
ＣＰＵ４２は、記憶部３０やメモリー４３に格納されているプログラムや印刷ジョブなどに従って、駆動制御部４４や、検出部６０、電源部７０を、また、駆動制御部４４を介し、印刷部１０、搬送部２０などを制御する。
操作パネル５０は、ヒューマンインターフェースとしての入出力部であり、表示部５１と入力手段とを備え、制御部４０に対する指示や動作の選択、制御部４０の動作における必要な制御情報の表示などを行うことができる。
なお、記憶部３０は、「電源装置」として備える「記憶部」の機能を、また、表示部５１は、「電源装置」として備える「表示部」の機能を兼ねている。
【００３３】
検出部６０は、印刷部１０、搬送部２０など、装置本体２内部の所定の箇所に設けられた複数の検出機器群（例えば、リニア式エンコーダー、ロータリー式エンコーダー、光学センサーなど）から成り、プリンター１００内の稼動状況を検出（監視）し、その検出結果を制御部４０に通知する。具体的には、ガイド軸１２に沿って走査移動するキャリッジ１３の位置、搬送部２０におけるロール紙１の幅方向（図１におけるＸ軸方向）のセット位置や搬送状況（ジャムの有無など）、ロール紙１の有無や残量、印刷部１０におけるインクの有無や残量などを監視する。
【００３４】
搬送部２０は、装置本体２の内部に格納した印刷前のロール紙１を印刷部１０に供給し、印刷が行われた後に、切り離して排出するまでの搬送機構および経路を構成している。搬送部２０によって印刷部１０に供給されたロール紙１に対し、制御部４０は、ガイド軸１２に沿ってヘッド１１を支持するキャリッジ１３を走査方向（Ｘ軸方向）移動させながらヘッド１１からインク滴を吐出する動作と、搬送部２０により走査方向（Ｘ軸方向）と交差する搬送方向（＋Ｙ方向）にロール紙１を移動させる動作とを交互に繰り返すことにより、ロール紙１に所望の画像を形成（印刷）する。
【００３５】
＜電源装置＞
図３は、本実施形態を特徴付ける「電源装置」としての電源部７０のブロック図である。
電源部７０は、外部電源から供給される交流電力を直流電力としてプリンター１００に供給する部分であり、電源ユニット７１、電源制御部７２、および記憶部３０、操作パネル５０、報知手段（図示省略）などから構成されている。
【００３６】
電源ユニット７１は、電力供給部７３、コンデンサーＣ１、降圧回路７７，７８などから構成されている。
電力供給部７３は、外部の交流電源から供給される電力を直流電力に変換する回路部であり、４つのダイオードで構成するブリッジ整流回路７３１と、ブリッジ整流回路７３１の出力を昇圧する昇圧回路７３２などから構成される。昇圧回路７３２は、電源制御部７２（後述する駆動部７２３）によって駆動制御される。
【００３７】
コンデンサーＣ１は、電力供給部７３に接続されており（すなわち、昇圧回路７３２の出力がコンデンサーＣ１接続され）、直流電力を蓄えることができる。コンデンサーＣ１は、電力供給部７３の出力を平滑化する、所謂、平滑化コンデンサーである。コンデンサーＣ１には、好適例としてアルミ電解コンデンサーを使用している。
【００３８】
降圧回路７７，７８は、コンデンサーＣ１によって平滑化された直流電力を、電源ユニット７１に接続される負荷１，２のそれぞれに対応した電圧に降圧する絶縁型ＤＣ−ＤＣコンバーターである。
負荷１には、制御部４０（図２参照）などに含まれる比較的低電圧のロジック制御系回路が接続される。
負荷２には、例えば、印刷部１０、搬送部２０（図２参照）などの比較的高電圧の駆動系負荷が接続される。
【００３９】
このような構成の電源装置（電源ユニット７１）において、外部の交流電源から過電圧の交流電力が供給された場合に、コンデンサーＣ１に定格電圧を超える過電圧が印加されると、コンデンサーＣ１が故障して、プリンター１００に必要な電力の供給ができなくなる場合がある。特に、平滑化コンデンサーに好適なアルミ電解コンデンサーにおいては、その傾向が顕著であり、過電圧が印加されると、電解液のガス化により内圧が上昇し、防爆弁が開弁して電解液が流出してしまう場合がある。また、開弁に至らなくとも、定格電圧を越えて印加される時間やその頻度が増したり、プリンター１００が著しく気温の高い使用環境に置かれたりする場合などにおいては、電解液のガス化による電解液の消失に伴う静電容量の低下が見られ、電源部７０は必要な機能を失う。
【００４０】
これに対し、本実施形態の電源部７０は、コンデンサーＣ１の劣化の状況を評価可能とし、電源部７０や電源部７０を用いたプリンター１００の予防保全ができるようにしている。具体的には、電源制御部７２に、電源ユニット７１を駆動する機能に加えて、検知部７２１、評価部７２２などの機能を含んで構成している。以下に具体的に説明する。
【００４１】
電源制御部７２は、演算部７２０、検知部７２１、評価部７２２、駆動部７２３などから構成されている。
演算部７２０は、ＲＡＭ、ＲＯＭ、フラッシュメモリーなどの記憶素子（図示省略）を含んで構成され、記憶素子に記憶されるプログラムによって動作し、検知部７２１、評価部７２２、駆動部７２３などの制御や、ＣＰＵ４２との情報授受を行う。
検知部７２１は、交流電力の入力状態を検知し演算部７２０に通知する部分であり、ブリッジ整流回路７３１の出力電圧を検知することができる。
評価部７２２は、演算部７２０の制御の下に、コンデンサーＣ１の特性を評価する部分であり、コンデンサーＣ１の電圧を検知し、その特性によってコンデンサーＣ１の静電容量を評価することができる。
駆動部７２３は、演算部７２０の制御の下に、昇圧回路７３２や降圧回路７７，７８の駆動制御を行う。
【００４２】
＜電源装置の制御＞
図４は、電源制御部７２による電源部７０の制御のフローを示すフローチャートである。
図４のフローチャートに沿って、上述した構成の電源制御部７２が有する機能を説明する。
【００４３】
まず、プリンター１００の電源を投入する（ステップＳ１）。すると、電源部７０が機能し、プリンター１００の各所に必要な電力が供給される。
次に、準備（ステップＳ２）として、操作パネル５０を通じ、演算部７２０において、検知部７２１が検知すべき所定電圧Ｖｓを設定する。所定電圧Ｖｓとは、コンデンサーＣ１の予防保全を行うために基準とする電圧である。所定電圧Ｖｓは、予め、コンデンサーＣ１の定格電圧Ｖｔｙｐと最大定格電圧Ｖｍａｘの間の電圧で、外部電源から供給される交流電力が不安定な場合に達する可能性のあるピーク電圧Ｖｐを参照して決定しておく。設定した所定電圧Ｖｓは、演算部７２０が有する記憶素子に記憶されるため、変更する必要がある場合を除いて、再度設定する必要は無い。
【００４４】
また、準備段階（ステップＳ２）として、コンデンサーＣ１を交換した場合には、検知履歴情報をリセット（初期化）する。検知履歴情報は、検知部７２１が所定電圧を上回る過電圧状態を検知した場合に、その履歴として記憶される情報であり、検知した日時、過電圧が印加された累積情報（累積時間、累積回数）などが記憶部３０に記憶される。検知履歴情報は、コンデンサーＣ１の属性情報として、コンデンサーＣ１が交換される都度、その情報を初期化する。
【００４５】
電源が投入されると、検知部７２１は、交流電力の入力状態の検知を開始する（ステップＳ３）。具体的には、検知部７２１は、ブリッジ整流回路７３１の出力電圧Ｖｍを測定し、所定電圧Ｖｓおよび最大定格電圧Ｖｍａｘとの比較を行う（ステップＳ４）。
【００４６】
出力電圧Ｖｍが所定電圧Ｖｓ以下（Ｖｍ≦Ｖｓで適切な電圧）の場合は、次に検知履歴情報を参照してコンデンサーＣ１の評価の要否を判定する（ステップＳ５）。コンデンサーＣ１の評価が必要無い（ＯＫ）と判定された場合には、そのまま、ステップＳ３に戻り、交流電力の入力状態の検知を継続する。検知履歴情報を参照して、コンデンサーＣ１の評価が必要と判定される場合とは、例えば、検知部７２１がコンデンサーＣ１の最大定格電圧Ｖｍａｘを超える電圧を検知し、電源を遮断した後に再び電源を投入し、最大定格電圧Ｖｍａｘを超える電圧を検知した検知履歴情報が確認された場合である。なお、検知履歴情報を参照して、コンデンサーＣ１の評価が必要と判定された場合であっても、プリンター１００が印刷を実行中の場合には、そのまま、ステップＳ３に戻る。
【００４７】
ステップＳ４にて、出力電圧Ｖｍが所定電圧Ｖｓを上回り、最大定格電圧Ｖｍａｘ以下（Ｖｓ＜Ｖｍ≦Ｖｍａｘ）と判定された場合は、検知履歴情報を参照してコンデンサーＣ１の評価の要否を判定する（ステップＳ１３）。コンデンサーＣ１の評価が必要無い（ＯＫ）と判定された場合には、検知履歴情報として、日時、ステップＳ４の判定結果の情報を記憶部３０に記憶し（ステップＳ１４）、そのまま、ステップＳ３に戻り、交流電力の入力状態の検知を継続する。
【００４８】
検知履歴情報を参照して、コンデンサーＣ１の評価が必要無い（ＯＫ）と判定される場合とは、例えば、前回のコンデンサーＣ１の評価結果が良好で、評価を実施した日時からＶｓ＜Ｖｍ≦Ｖｍａｘと判定された頻度が所定回数に達していない場合である。
Ｖｓ＜Ｖｍ≦Ｖｍａｘの状態を継続している場合や、何度もその状態となる場合には、ステップＳ１４が繰り返されて、検知履歴情報が記録されるため、所定の頻度に徐々に近づくことになる。Ｖｓ＜Ｖｍ≦Ｖｍａｘと判定された頻度が所定回数に達した場合には、コンデンサーＣ１の評価が必要（ＮＧ）と判定される。
【００４９】
ステップＳ５、およびステップＳ１３にて、検知履歴情報を参照し、コンデンサーＣ１の評価が必要（ＮＧ）と判定された場合には、電力の供給を停止する（ステップＳ６）。具体的には、駆動部７２３が、昇圧回路７３２、および降圧回路７８の駆動を停止する。
次に、電源制御部７２は、コンデンサーＣ１に蓄えられた電力により動作できる時間内において、コンデンサーＣ１の劣化特性の評価（ステップＳ７）および判定（ステップＳ８）を行う。
【００５０】
コンデンサーＣ１の劣化は、コンデンサーＣ１が有する静電容量の特性の劣化として評価される。本実施形態では、評価部７２２が検出するコンデンサーＣ１の電圧の減衰特性を演算部７２０において演算することにより、静電容量を導出し、コンデンサーＣ１の劣化状況を評価する。
なお、コンデンサーＣ１の静電容量の評価は、この方法に限定するものではない。例えば、コンデンサーＣ１に流れるリップル電流を測定する方法などであっても良いし、コンデンサーＣ１が放電し尽くすまでの時間を測定する方法であっても良い。
【００５１】
ステップＳ８の判定で、コンデンサーＣ１の劣化が認められない（例えば、導出された静電容量が、所定の閾値と比較して良好（Ｇｏｏｄ））と判定された場合、電力の供給を再開する（ステップＳ９）。具体的には、駆動部７２３が、昇圧回路７３２、および降圧回路７８の駆動を再開する。
次に、検知履歴情報として、日時、ステップＳ４の判定結果、コンデンサーＣ１の評価結果（良否（良好と判定された結果）、および導出した静電容量の値）を記憶部３０に記憶する（ステップＳ１０）。
【００５２】
次に、検知履歴情報を参照し、ユーザーにコンデンサーＣ１の交換に関するアラートの報知が必要か否かを判定する（ステップＳ１１）。アラートの報知が不要と判定された場合には、そのまま、ステップＳ３に戻り、交流電力の入力状態の検知を継続する。
アラートの報知が必要と判定される場合とは、コンデンサーＣ１の特性を評価した結果導出された静電容量の値が、予め設定した静電容量の値以下となった場合や、静電容量の変化の度合いにより、予め設定した静電容量の値以下になるまでの推定時間が、予め設定した時間以下となった場合である。すなわち、コンデンサーＣ１の使用の継続は可能であるが、新たなコンデンサーＣ１への交換を行うことが好ましいと判定される場合である。
【００５３】
ステップＳ１１にて、アラートの報知が必要と判定された場合には、報知手段によりユーザーにコンデンサーＣ１の交換を促すアラートを報知（ステップＳ１２）した後に、ステップＳ３に戻り、交流電力の入力状態の検知を継続する。
報知手段は、演算部７２０および演算部７２０の制御の下に駆動されるユーザーインターフェイスで構成される。報知手段によるコンデンサーＣ１の交換を促すアラートとは、具体的には、ユーザーインターフェイスとしての操作パネル５０（表示部５１）へのメッセージの表示や、外部機器（例えばパーソナルコンピューター）への通知、プリンター１００がブザーや発声機能などを備える場合には、ブザーの鳴動やメッセージのアナウンスなどである。
【００５４】
なお、検知履歴情報は、電力の供給が行われている場合において、操作パネル５０からの操作によって記憶部３０を参照し表示部５１に表示させることができる。またあるいは、外部機器（例えばパーソナルコンピューター）からの操作によって、記憶部３０を参照し、外部機器に通知することができる。
【００５５】
ステップＳ４で、出力電圧Ｖｍが最大定格電圧Ｖｍａｘを上回った（Ｖｍ＞Ｖｍａｘ）と判定された場合には、電力の供給を停止する（ステップＳ１５）。具体的には、駆動部７２３が、昇圧回路７３２、および降圧回路７８の駆動を停止する。
次に、検知履歴情報（日時、ステップＳ４の判定結果）を記憶部３０に記憶し（ステップＳ１６）、報知手段によりアラート（出力電圧Ｖｍが最大定格電圧Ｖｍａｘを上回った内容のアラート）を報知（ステップＳ１７）する。なお、この場合のアラートは、コンデンサーＣ１に蓄えられた電力により動作できる範囲に限定される。例えば、プリンター１００の電源（電源部７０）とは異なる電源で動作する外部機器（パーソナルコンピューターなど）への通知を行う。
【００５６】
次に、演算部７２０は、電源遮断時の所定の動作終了処理を行い（ステップＳ１８）、電源部７０およびプリンター１００は、動作を停止する。
【００５７】
ステップＳ８で、コンデンサーＣ１が不良（Ｎｏ  Ｇｏｏｄ）、つまり、導出された静電容量が、所定の閾値を下回ったと判定された場合には、検知履歴情報（この場合には、日時、ステップＳ８の判定結果など）を記憶部３０に記憶し（ステップＳ１６）、報知手段によりアラート（この場合には、コンデンサーＣ１が不良である内容のアラート）を報知（ステップＳ１７）する。なお、この場合のアラートも、コンデンサーＣ１に蓄えられた電力により動作できる範囲に限定される。例えば、プリンター１００の電源（電源部７０）とは異なる電源で動作する外部機器（パーソナルコンピューターなど）への通知を行う。
【００５８】
次に、演算部７２０は、電源遮断時の所定の動作終了処理を行い（ステップＳ１８）、電源部７０およびプリンター１００は、動作を停止する。
【００５９】
以上述べたように、本実施形態による電源装置および印刷装置によれば、以下の効果を得ることができる。
電源部７０が備える記憶部３０には、交流電力の入力状態を検知する検知部７２１が所定電圧Ｖｓを上回る過電圧状態を検知すると、検知履歴情報が記憶部３０ａに記憶される。この検知履歴情報を参照し、例えば記憶部３０ａにあらかじめ記憶されている故障が起こるであろうと予測される閾値と比較することにより、電源部７０に加えられたダメージを見積もることが可能となる。その結果、例えば、電源部７０の故障予測や、それに対応する事前メンテナンスなど、電源部７０の予防保全が可能となる。
【００６０】
また、検知履歴情報には、所定電圧Ｖｓを上回る過電圧状態を検知した累積情報（累積時間、累積回数）が含まれる。この検知履歴情報を参照することにより、電源部７０に過電圧が印加された履歴としてその累積情報が判明するため、電源部７０に加えられたダメージをより好適に見積もることが可能となる。その結果、例えば、電源部７０の故障予測や、それに対応する事前メンテナンスなど、電源部７０の予防保全が可能となる。
【００６１】
また、検知履歴情報には、所定電圧Ｖｓを上回る過電圧状態が印加された日時の情報が含まれる。この検知履歴情報を参照することにより、電源部７０に過電圧が印加された履歴としてその日時が判明するため、その対処（過電圧が印加される原因の究明や対策など）をより好適に行うことが可能となる。また、電源部７０に過電圧が印加された頻度やその時間経過が分かるため、電源部７０の故障予測や、それに対応する事前メンテナンスなど、電源部７０の予防保全が可能となる。また、検知履歴情報は、所定電圧Ｖｓを上回る過電圧状態が印加された回数の累積情報であってもよい。この場合は、単純に故障が予測される回数閾値と比較するだけで簡便に判定が行われる。また、検知履歴情報に過電圧の電圧値情報がある場合は、過電圧の電圧値を累積することで、電源部７０に加えられた累積のダメージを予測することができる。
【００６２】
また、電源部７０が備える評価部７２２は、検知部７２１が所定電圧Ｖｓを上回る過電圧状態を検知した場合に、直流電力を蓄電可能に接続されたコンデンサーＣ１の特性を評価する。そのため、電源部７０に過電圧が印加されることによってコンデンサーＣ１の特性の劣化が危惧される場合には、その状態を把握することができる。その結果、例えば、コンデンサーＣ１の故障予測や、それに対応する事前メンテナンスなど、電源部７０の予防保全が可能となる。
【００６３】
また、電源部７０が備える評価部７２２は、検知部７２１が所定電圧Ｖｓを上回る過電圧状態を検知した検知履歴情報に基づき直流電力を蓄電可能に接続されたコンデンサーＣ１の特性を評価する。そのため、電源部７０に過電圧が印加されることによってコンデンサーＣ１の特性の劣化が危惧される場合には、検知履歴情報に基づいて、その状態を把握することができる。その結果、例えば、コンデンサーＣ１の故障予測や、それに対応する事前メンテナンスなど、電源部７０の予防保全が可能となる。
【００６４】
また、コンデンサーＣ１の特性を評価した評価結果に基づき報知されることで、より好適な対処を行うことができる。
【００６５】
また、評価部７２２がコンデンサーＣ１の特性を評価した評価結果を表示する表示部５１を備えるため、コンデンサーＣ１の特性を評価した評価結果を参照することで、より好適な対処を行うことができる。
【００６６】
また、評価部７２２がコンデンサーＣ１の特性を評価した評価結果を記憶部３０に記憶することにより、評価結果の推移（つまりはコンデンサーＣ１の状態変化）を把握することが可能となる。その結果、例えば、コンデンサーＣ１の故障予測や、それに対応する事前メンテナンスなど、電源部７０の予防保全が可能となる。
【００６７】
また、プリンター１００は、電源部７０を備えることにより、電源部７０の故障予測や、それに対応する事前メンテナンスなど、プリンター１００の予防保全が可能となる。
【００６８】
（実施形態２）
次に、実施形態２に係る電源装置７０ａについて説明する。なお、説明にあたり、上述した実施形態と同一の構成部位については、同一の符号を使用し、重複する説明は省略する。
実施形態１では、「電源装置」を、「印刷装置」としてのプリンター１００に備えられた電源部７０として説明をしたが、実施形態２では、「電源装置」を単体で構成する場合の例において説明する。
図５は、実施形態２に係る電源装置７０ａのブロック図である。
電源装置７０ａは、外部電源から供給される交流電力を、接続される装置に直流電力として供給する電源装置であり、電源ユニット７１、電源制御部７２ａなどから構成されている。
【００６９】
電源制御部７２ａは、演算部７２０、検知部７２１、評価部７２２、駆動部７２３、記憶部３０ａ、インターフェイス部４１ａ、操作パネル５０ａなどから構成されている。
記憶部３０ａは、ハードディスクドライブ（ＨＤＤ）やメモリーカードなどの書き換え可能な記憶媒体である。
インターフェイス部４１ａは、電源制御部７２ａに接続されるユーザーインターフェイス機器（例えばパーソナルコンピューター）との間でデータの送受信を可能としている。
操作パネル５０ａは、ヒューマンインターフェースとしての入出力部であり、表示部５１ａと入力手段とを備え、演算部７２０に対する指示や動作の選択、演算部７２０の動作における必要な制御情報の表示などを行うことができる。
【００７０】
すなわち、電源部７０は、「電源装置」として備える「記憶部」の機能をプリンター１００が備える記憶部３０と兼ね、「電源装置」として備える「表示部」の機能をプリンター１００が備える表示部５１と兼ねた構成であったが、電源装置７０ａは、それぞれを電源制御部７２ａに備えている。
【００７１】
準備として行う所定電圧Ｖｓの設定は、操作パネル５０ａを通じて行う。
また、報知手段は、演算部７２０および演算部７２０の制御の下に駆動されるユーザーインターフェイス（すなわち、操作パネル５０ａやインターフェイス部４１ａを介したユーザーインターフェイス機器）で構成される。従って、報知手段によるコンデンサーＣ１の交換を促すアラートとは、具体的には、操作パネル５０ａへのメッセージの表示や、インターフェイス部４１ａを介したユーザーインターフェイス機器への通知などである。
また、検知履歴情報は、記憶部３０ａに記憶される。
以上説明した構成を除き、電源装置７０ａは、電源部７０と同じである。
【００７２】
本実施形態による電源装置７０ａによれば、以下の効果を得ることが出来る。
電源装置７０ａが備える記憶部３０ａには、交流電力の入力状態を検知する検知部７２１が所定電圧Ｖｓを上回る過電圧状態を検知した検知履歴情報が記憶される。この検知履歴情報を参照することにより、電源装置７０ａに加えられたダメージを見積もることが可能となる。その結果、例えば、電源装置７０ａの故障予測や、それに対応する事前メンテナンスなど、電源装置７０ａの予防保全が可能となる。
【００７３】
また、検知履歴情報には、所定電圧Ｖｓを上回る過電圧状態を検知した累積情報（累積時間、累積回数）が含まれる。この検知履歴情報を参照することにより、電源装置７０ａに過電圧が印加された履歴としてその累積情報が判明するため、電源装置７０ａに加えられたダメージをより好適に見積もることが可能となる。その結果、例えば、電源装置７０ａの故障予測や、それに対応する事前メンテナンスなど、電源装置７０ａの予防保全が可能となる。
【００７４】
また、検知履歴情報には、所定電圧Ｖｓを上回る過電圧状態が印加された日時の情報が含まれる。この検知履歴情報を参照することにより、電源装置７０ａに過電圧が印加された履歴としてその日時が判明するため、その対処（過電圧が印加される原因の究明や対策など）をより好適に行うことが可能となる。また、電源装置７０ａに過電圧が印加された頻度やその時間経過が分かるため、電源装置７０ａの故障予測や、それに対応する事前メンテナンスなど、電源装置７０ａの予防保全が可能となる。
【００７５】
また、電源装置７０ａが備える評価部７２２は、検知部７２１が所定電圧Ｖｓを上回る過電圧状態を検知した場合に、直流電力を蓄電可能に接続されたコンデンサーＣ１の特性を評価する。そのため、電源装置７０ａに過電圧が印加されることによってコンデンサーＣ１の特性の劣化が危惧される場合には、その状態を把握することができる。その結果、例えば、コンデンサーＣ１の故障予測や、それに対応する事前メンテナンスなど、電源装置７０ａの予防保全が可能となる。
【００７６】
また、電源装置７０ａが備える評価部７２２は、検知部７２１が所定電圧Ｖｓを上回る過電圧状態を検知した検知履歴情報に基づき直流電力を蓄電可能に接続されたコンデンサーＣ１の特性を評価する。そのため、電源装置７０ａに過電圧が印加されることによってコンデンサーＣ１の特性の劣化が危惧される場合には、検知履歴情報に基づいて、その状態を把握することができる。その結果、例えば、コンデンサーＣ１の故障予測や、それに対応する事前メンテナンスなど、電源装置７０ａの予防保全が可能となる。
【００７７】
また、コンデンサーＣ１の特性を評価した評価結果に基づき報知されることで、より好適な対処を行うことができる。
【００７８】
また、評価部７２２がコンデンサーＣ１の特性を評価した評価結果を表示する表示部５１ａを備えるため、コンデンサーＣ１の特性を評価した評価結果を参照することで、より好適な対処を行うことができる。
【００７９】
また、評価部７２２がコンデンサーＣ１の特性を評価した評価結果を記憶部３０ａに記憶することにより、評価結果の推移（つまりはコンデンサーＣ１の状態変化）を把握することが可能となる。その結果、例えば、コンデンサーＣ１の故障予測や、それに対応する事前メンテナンスなど、電源装置７０ａの予防保全が可能となる。
【符号の説明】
【００８０】
１…ロール紙、２…装置本体、３…スタンド、１０…印刷部、１１…ヘッド、１２…ガイド軸、１３…キャリッジ、２０…搬送部、３０，３０ａ…記憶部、４０…制御部、４１，４１ａ…インターフェイス部、４２…ＣＰＵ、４３…メモリー、４４…駆動制御部、５０，５０ａ…操作パネル、５１，５１ａ…表示部、６０…検出部、７０…電源部、７０ａ…電源装置、７１…電源ユニット、７２，７２ａ…電源制御部、７３…電力供給部、７７，７８…降圧回路、１００…プリンター、７２０…演算部、７２１…検知部、７２２…評価部、７２３…駆動部、７３１…ブリッジ整流回路、７３２…昇圧回路。
【図１】
2017049746.tif 000003
【図２】
2017049746.tif 000004
【図３】
2017049746.tif 000005
【図４】
2017049746.tif 000006
【図５】
2017049746.tif 000007